(57)【要約】  容量制御装置は、車両が備える駆動用電源に蓄積されているエネルギー量のうち、車両のユーザの指示によらずに駆動用電源と電力網との間の送受電に利用可能な第１のエネルギー量と、ユーザの指示によりユーザが利用可能な第２のエネルギー量とを示す情報を格納する格納部と、ユーザの指示によって行われた駆動用電源へのエネルギー蓄積量又は駆動用電源からのエネルギー放出量に基づいて、第１のエネルギー量を更新することなく第２のエネルギー量を更新し、ユーザの指示によらずに車両外の制御装置の指示によって行われた送受電による駆動用電源へのエネルギー蓄積量又は駆動用電源からのエネルギー放出量に基づいて、第２のエネルギー量を更新することなく第１のエネルギー量を更新する更新部と、更新部により更新された第２のエネルギー量を示す情報をユーザへ提示させる制御部とを備える。
2020148850.tif 000002
【特許請求の範囲】
【請求項１】
車両が備える駆動用電源に蓄積されているエネルギー量のうち、前記車両のユーザの指示によらずに前記駆動用電源と電力網との間の送受電に利用可能な第１のエネルギー量と、前記ユーザの指示により前記ユーザが利用可能な第２のエネルギー量とを示す情報を格納する格納部と、
前記ユーザの指示によって行われた前記駆動用電源へのエネルギー蓄積量又は前記駆動用電源からのエネルギー放出量に基づいて、前記第１のエネルギー量を更新することなく前記第２のエネルギー量を更新し、前記ユーザの指示によらずに前記車両外の制御装置の指示によって行われた前記送受電による前記駆動用電源へのエネルギー蓄積量又は前記駆動用電源からのエネルギー放出量に基づいて、前記第２のエネルギー量を更新することなく前記第１のエネルギー量を更新する更新部と、
前記更新部により更新された前記第２のエネルギー量を示す情報を前記ユーザへ提示させる制御部と
を備える容量制御装置。
【請求項２】
前記駆動用電源はバッテリであり、
前記格納部は、前記バッテリの残容量のうち、前記車両のユーザの指示によらずに前記バッテリと前記電力網との間の送受電に利用可能な第１の残容量と、前記ユーザの指示により前記ユーザが利用可能な第２の残容量とを示す情報を格納し、
前記更新部は、前記ユーザの指示によって行われた前記バッテリの充放電における前記バッテリの充電量又は放電量に基づいて、前記第１の残容量を更新することなく前記第２の残容量を更新し、前記ユーザの指示によらずに前記車両外の制御装置の指示によって行われた前記送受電による前記バッテリの充電量又は放電量に基づいて、前記第２の残容量を更新することなく前記第１の残容量を更新し、
前記制御部は、前記更新部により更新された前記第２の残容量を示す情報を前記ユーザへ提示させる
請求項１に記載の容量制御装置。
【請求項３】
前記制御部は、前記バッテリの容量のうち前記車両のユーザが利用可能な最大容量と前記第２の残容量とに基づく充電率を示す情報を、前記ユーザへ提示させる
請求項２に記載の容量制御装置。
【請求項４】
前記最大容量を変更する指示を取得する容量変更取得部
をさらに備え、
前記制御部は、前記変更された前記最大容量と前記第２の残容量とに基づく新たな充電率を示す情報を、前記ユーザへ提示させる
請求項３に記載の容量制御装置。
【請求項５】
前記制御部は、前記バッテリの充電中において、前記第２の残容量が予め定められた値より低い場合には、前記第１の残容量が予め定められた値より高い場合であっても、前記バッテリから前記電力網への送受電を禁止する
請求項２から４のいずれか一項に記載の容量制御装置。
【請求項６】
前記第１の残容量及び前記第２の残容量の一方から他方への移行指示を取得する移行指示取得部
をさらに備え、
前記更新部は、前記移行指示を取得した場合に、前記第１の残容量及び前記第２の残容量の一方から他方へ移行させる容量に基づいて、前記第１の残容量及び第２の残容量を更新する
請求項２から５のいずれか一項に記載の容量制御装置。
【請求項７】
前記移行指示取得部は、前記第１の残容量から前記第２の残容量への移行指示を前記ユーザから取得する
請求項６に記載の容量制御装置。
【請求項８】
前記移行指示取得部は、前記電力網における電力需要が予め定められた値より小さい場合に、前記第１の残容量から前記第２の残容量への移行指示を前記ユーザから受け付けることを許容する
請求項７に記載の容量制御装置。
【請求項９】
前記移行指示取得部は、前記第２の残容量から前記第１の残容量への移行指示を前記ユーザから取得する
請求項６から８のいずれか一項に記載の容量制御装置。
【請求項１０】
前記移行指示取得部は、前記電力網における電力需要が予め定められた値より大きい場合に、前記第２の残容量から前記第１の残容量への移行指示を前記ユーザから受け付けることを許容する
請求項９に記載の容量制御装置。
【請求項１１】
前記電力網における電力需要に基づいて、前記第１の残容量及び前記第２の残容量の一方から他方への容量移行の対価を決定する対価制御部
をさらに備え、
前記制御部は、前記対価制御部が決定した対価を前記ユーザへ提示させる
請求項６から１０のいずれか一項に記載の容量制御装置。
【請求項１２】
コンピュータに請求項１から１１のいずれか一項に記載の容量制御装置として機能させるためのプログラム。
【発明の詳細な説明】
【技術分野】
【０００１】
本発明は、容量制御装置及びプログラムに関する。
【背景技術】
【０００２】
車載蓄電池の定格放電容量から日常必要蓄電量分を除した残りの容量の範囲内において、車載蓄電池から系統に対する電力供給を蓄電池管理会社が自由に行う技術が知られている（例えば、下記特許文献１等を参照）。
［先行技術文献］
［特許文献］
［特許文献１］  特許第５００２７８０号公報
［特許文献２］  特許第６１８３５７６号公報
［特許文献３］  特表２０１５−５１４３９０号公報
【解決しようとする課題】
【０００３】
車両のユーザにとっては、日常必要なエネルギー量等を気にすることなく、ユーザの都合に合わせて駆動用電源にエネルギーを蓄積したり駆動用電源からエネルギーを放出したりできることが望ましい場合がある。一方、ユーザの指示によらずに車両の駆動用電源と電力網との間の送受電を行うシステムにとっては、ユーザが行う充放電に依存せずに駆動用電源にエネルギーを蓄積したり駆動用電源からエネルギーを放出したりできることが望ましい。
【一般的開示】
【０００４】
本発明の第１の態様においては、容量制御装置が提供される。容量制御装置は、車両が備える駆動用電源に蓄積されているエネルギー量のうち、車両のユーザの指示によらずに駆動用電源と電力網との間の送受電に利用可能な第１のエネルギー量と、ユーザの指示によりユーザが利用可能な第２のエネルギー量とを示す情報を格納する格納部を備える。容量制御装置は、ユーザの指示によって行われた駆動用電源へのエネルギー蓄積量又は駆動用電源からのエネルギー放出量に基づいて、第１のエネルギー量を更新することなく第２のエネルギー量を更新し、ユーザの指示によらずに車両外の制御装置の指示によって行われた送受電による駆動用電源へのエネルギー蓄積量又は駆動用電源からのエネルギー放出量に基づいて、第２のエネルギー量を更新することなく第１のエネルギー量を更新する更新部を備える。容量制御装置は、更新部により更新された第２のエネルギー量を示す情報をユーザへ提示させる制御部を備える。
【０００５】
駆動用電源はバッテリであってよい。格納部は、バッテリの残容量のうち、車両のユーザの指示によらずにバッテリと電力網との間の送受電に利用可能な第１の残容量と、ユーザの指示によりユーザが利用可能な第２の残容量とを示す情報を格納してよい。更新部は、ユーザの指示によって行われたバッテリの充放電におけるバッテリの充電量又は放電量に基づいて、第１の残容量を更新することなく第２の残容量を更新し、ユーザの指示によらずに車両外の制御装置の指示によって行われた送受電によるバッテリの充電量又は放電量に基づいて、第２の残容量を更新することなく第１の残容量を更新してよい。制御部は、更新部により更新された第２の残容量を示す情報をユーザへ提示させてよい。
【０００６】
制御部は、バッテリの容量のうち車両のユーザが利用可能な最大容量と第２の残容量とに基づく充電率を示す情報を、ユーザへ提示させてよい。
【０００７】
容量制御装置は、最大容量を変更する指示を取得する容量変更取得部をさらに備えてよい。制御部は、変更された最大容量と第２の残容量とに基づく新たな充電率を示す情報を、ユーザへ提示させてよい。
【０００８】
制御部は、バッテリの充電中において、第２の残容量が予め定められた値より低い場合には、第１の残容量が予め定められた値より高い場合であっても、バッテリから電力網への送受電を禁止してよい。
【０００９】
容量制御装置は、第１の残容量及び第２の残容量の一方から他方への移行指示を取得する移行指示取得部をさらに備えてよい。更新部は、移行指示を取得した場合に、第１の残容量及び第２の残容量の一方から他方へ移行させる容量に基づいて、第１の残容量及び第２の残容量を更新してよい。
【００１０】
移行指示取得部は、第１の残容量から第２の残容量への移行指示をユーザから取得してよい。
【００１１】
移行指示取得部は、電力網における電力需要が予め定められた値より小さい場合に、第１の残容量から第２の残容量への移行指示をユーザから受け付けることを許容してよい。
【００１２】
移行指示取得部は、第２の残容量から第１の残容量への移行指示をユーザから取得してよい。
【００１３】
移行指示取得部は、電力網における電力需要が予め定められた値より大きい場合に、第２の残容量から第１の残容量への移行指示をユーザから受け付けることを許容してよい。
【００１４】
容量制御装置は、電力網における電力需要に基づいて、第１の残容量及び第２の残容量の一方から他方への容量移行の対価を決定する対価制御部をさらに備えてよい。制御部は、対価制御部が決定した対価をユーザへ提示させてよい。
【００１５】
本発明の第２の態様においては、プログラムが提供される。プログラムは、容量制御装置として機能させる。
【００１６】
なお、上記の発明の概要は、本発明の必要な特徴の全てを列挙したものではない。また、これらの特徴群のサブコンビネーションもまた、発明となりうる。
【図面の簡単な説明】
【００１７】
【図１】送受電システム１００の基本構成を概略的に示す。
【図２】管理サーバ４０の機能構成を概略的に示す。
【図３】ユーザ用設定容量及びＶ２Ｇ用設定容量を説明するための模式的な図である。
【図４】バッテリ３２の容量情報の一例をテーブル形式で示す。
【図５】ユーザ８０の指示に基づく充電によってＶ２Ｇ用残容量Ｒ１が更新される様子を模式的に示す。
【図６】管理サーバ４０の指示に基づく充電によってＶ２Ｇ用残容量Ｒ１が更新される様子を模式的に示す。
【図７】車両３０のＶ２Ｇ用設定容量を設定するための画面７００の一例を模式的に示す。
【図８】Ｖ２Ｇ用残容量Ｒ１とユーザ用残容量Ｒ２との間で容量を移行させるための画面８００の一例を模式的に示す。
【図９】車両３０に充放電ケーブル２２が接続された場合の処理を示すフローチャートである。
【図１０】車両３０と電力網１０との間で送受電を行う処理を示すフローチャートである。
【図１１】本発明の複数の実施形態が全体的又は部分的に具現化され得るコンピュータ２０００の例を示す。
【発明を実施するための形態】
【００１８】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１９】
図１は、送受電システム１００の基本構成を概略的に示す。送受電システム１００は、例えば電力アグリゲータが、車両が備えるバッテリを用いて、車両と電力網との間の電力を融通するＶ２Ｇ（Ｖｅｈｉｃｌｅ−ｔｏ−Ｇｒｉｄ）を行うためのシステムである。送受電システム１００は、車両のバッテリの容量を、ユーザ用容量と電力アグリゲータ用の容量とに分けて管理する。なお、本実施形態において、車両が電力網へ電力を放出すること、及び、車両が電力網から電力を受け取ることの少なくとも何れかを行うことをＶ２Ｇと呼ぶ。
【００２０】
送受電システム１００は、車両３０ａ及び車両３０ｂを含む複数の車両と、定置バッテリ１４と、複数の充放電設備２０と、管理サーバ４０と、発電設備１２と、ユーザ端末８２ａ及びユーザ端末８２ｂを含む複数のユーザ端末とを備える。
【００２１】
ユーザ８０ａは、車両３０ａのユーザである。ユーザ８０ｂは、車両３０ｂのユーザである。なお、車両のユーザとは、車両の所有者や所有者の家族等、車両を使用する任意の人物であってよい。車両３０ａは、バッテリ３２ａを備える。車両３０ｂは、バッテリ３２ｂを備える。ユーザ端末８２ａは、ユーザ８０ａが使用する通信端末である。ユーザ端末８２ｂは、ユーザ８０ｂが使用する通信端末である。
【００２２】
本実施形態において、車両３０ａ及び車両３０ｂを含む複数の車両のことを、「車両３０」と総称する場合がある。また、バッテリ３２ａ及びバッテリ３２ｂを含む複数のバッテリのことを、「バッテリ３２」と総称する場合がある。
【００２３】
なお、バッテリ３２は、車両３０が備える駆動用電源の一例である。駆動用電源は、燃料電池等のように、燃料を消費して車両３０の動力源に提供される電気エネルギーを生成する電源を含む。燃料は、水素や、ガソリン、軽油及び天然ガス等の炭化水素燃料や、アルコール燃料等であってよい。駆動用電源は、車両３０の動力源に提供される電気エネルギーを生成することができる任意の電源であってよい。
【００２４】
車両３０は、輸送機器の一例である。車両３０は、例えば電気自動車、燃料電池自動車（ＦＣＶ）等、電気エネルギーにより駆動される動力源を備える車両である。電気自動車は、バッテリ式電動輸送機器（ＢＥＶ）や、動力の少なくとも一部を提供する内燃機関を備えるハイブリッド自動車又はプラグインハイブリッド電気自動車（ＰＨＥＶ）を含む。本実施形態において、車両３０は、駆動用電源としてバッテリ３２を備える電気自動車である。駆動用電源としてバッテリを採用する形態において、バッテリの放電は、駆動用電源からのエネルギーの放出に対応し、バッテリの充電は、駆動用電源へのエネルギーの蓄積に対応する。また、バッテリの残容量は、駆動用電源から供給可能な電力量又は電気量等、駆動用電源に蓄積されているエネルギー量に対応する。
【００２５】
本実施形態において、ユーザ８０ａ及びユーザ８０ｂのそれぞれのユーザのことを「ユーザ８０」と総称する場合がある。ユーザ端末８２ａ及びユーザ端末８２ｂを含む複数のユーザ端末のことを、「ユーザ端末８２」と総称する場合がある。
【００２６】
ユーザ端末８２は、例えば携帯端末、パーソナルコンピュータ、車両ナビゲーション装置等であってよい。携帯端末としては、携帯電話、スマートフォン、ＰＤＡ、タブレット、ノートブック・コンピュータ、ラップトップ・コンピュータ、ウエアラブル・コンピュータ等を例示することができる。
【００２７】
管理サーバ４０は、通信ネットワークを通じて、車両３０、定置バッテリ１４、及びユーザ端末８２と通信可能である。管理サーバ４０はまた、通信ネットワークを通じて、電力取引サーバ５０と通信可能である。通信ネットワークは、有線通信又は無線通信の伝送路を含み得る。通信ネットワークは、インターネット、Ｐ２Ｐネットワーク、専用回線、ＶＰＮ、電力線通信回線、携帯電話回線等を含む通信網を含んでよい。
【００２８】
電力網１０は、電力系統の送電系統又は配電系統や、電力グリッドの配電網を含み得る。電力網１０は地域毎に設けられてよい。電力網１０はマイクログリッドであってよい。電力網１０は、電力を消費する電力機器と電源とを接続する任意の規模の配電網であってよい。例えば、電力網１０は、商業施設等の任意の施設に設けられた配電網であってよい。電力網１０は建物毎に設けられてよい。車両３０、定置バッテリ１４、充放電設備２０、及び発電設備１２は、電力網１０に接続される。充放電設備２０、定置バッテリ１４、発電設備１２は、電力網１０との間で電力の送受電が可能である。
【００２９】
発電設備１２は、電力会社等によって管理される。充放電設備２０は、例えば、住宅に設置された充放電器や、共同住宅、ビル及び店舗の駐車場又は公共スペースに設置された充放電スタンド等を含む。なお、充放電設備２０は、車両３０が備える駆動用電源にエネルギーを蓄積するための電気設備の一例である。
【００３０】
車両３０は、充放電ケーブル２２を通じて充放電設備２０に接続される。すなわち、車両３０は、充放電ケーブル２２及び充放電設備２０を通じて、電力網１０に接続される。車両３０は、充放電設備２０を通じて、バッテリ３２と電力網１０との間で送受電を行う。例えば、車両３０は、バッテリ３２の放電に得られた電力を、充放電ケーブル２２及び充放電設備２０を介して、電力網１０へ放出する。また、車両３０は、充放電ケーブル２２及び充放電設備２０を介して電力網１０から供給される電力でバッテリ３２を充電する。なお、電力網１０との間の電力の送受電のことを「電力網１０との送受電」等と呼ぶ場合がある。
【００３１】
定置バッテリ１４は、電力アグリゲータによって管理される。車両３０のバッテリ３２は、定置バッテリ１４とともに仮想発電所を形成する。管理サーバ４０は、電力アグリゲータによって管理される。管理サーバ４０は、バッテリ３２と電力網１０との間、及び、定置バッテリ１４と電力網１０との間の送受電を制御する。
【００３２】
管理サーバ４０は、卸電力市場において入札により電力取引を行う。電力取引サーバ５０は、卸電力市場の運営者によって管理される。管理サーバ４０は、電力取引サーバ５０に対して、３０分を１コマとする時間単位で入札する。管理サーバ４０は、約定結果に基づいて各コマにおいてバッテリ３２及び定置バッテリ１４を放電させて、電力網１０へ電力を供給する。
【００３３】
例えば、管理サーバ４０は、卸電力市場における電力アグリゲータの入札に対する約定量に従って、バッテリ３２及び定置バッテリ１４を放電させて、バッテリ３２及び定置バッテリ１４から放出される電力を電力網１０へ供給する。また、管理サーバ４０は、需給調整市場における電力アグリゲータの入札に対して約定された調整力の範囲内で、バッテリ３２及び定置バッテリ１４の充放電を制御して、電力網１０における電力需給を調整する。例えば、管理サーバ４０は、送配電事業者や小売電気事業者からの上げディマンドレスポンス（上げＤＲ）、下げディマンドレスポンス（下げＤＲ）、及び上げ下げディマンドレスポンス（上げ下げＤＲ）に応じて、バッテリ３２及び定置バッテリ１４の充放電を制御する。
【００３４】
具体的には、管理サーバ４０は、上げＤＲに応じて、車両３０及び充放電設備２０の少なくとも一方を制御することにより、充放電設備２０を通じて電力網１０から受け取った電力で車両３０のバッテリ３２を充電させる。また、管理サーバ４０は、下げＤＲに応じて、車両３０及び充放電設備２０の少なくとも一方を制御することにより、車両３０のバッテリ３２を放電させ、バッテリ３２の放電によって得られた電力を充放電設備２０を通じて電力網１０へ向けて放出させる。
【００３５】
本実施形態において、管理サーバ４０は、車両３０のそれぞれのバッテリ３２の全体容量を、「ユーザ用設定容量」と「Ｖ２Ｇ用設定容量」とに分けて管理する。また、管理サーバ４０は、バッテリ３２の残容量を、ユーザ用設定容量の範囲内のユーザ用残容量と、Ｖ２Ｇ用設定容量の範囲内のＶ２Ｇ用残容量とに分けて管理する。そして、ユーザ８０の指示によるバッテリ３２の充放電量をユーザ用残容量に反映してユーザ８０に提示させる一方、Ｖ２Ｇ用残容量には当該充放電量を反映しない。また、管理サーバ４０は、管理サーバ４０の指示によるバッテリ３２の充放電量をＶ２Ｇ用残容量に反映する一方、ユーザ用残容量には当該充放電量を反映しない。
【００３６】
管理サーバ４０によれば、管理サーバ４０がＶ２Ｇ用残容量の枠内でバッテリ３２に自由に充放電を行っても、ユーザ８０に提示される残容量は変化しない。ユーザ８０に提示される残容量は、ユーザ８０の指示で行ったバッテリ３２の充放電量に基づいて更新される。そのため、ユーザ８０の使用感に即した残容量情報をユーザ８０に提供することができる。また、管理サーバ４０は、ユーザ８０が行う充放電に実質的に影響を受けることなく、Ｖ２Ｇ用残容量の枠内で計画的にバッテリ３２を充放電することが可能になる。
【００３７】
なお、本実施形態において、送受電とは、車両３０及び電力網１０の少なくとも一方から他方への電力の受け渡しが生じることを意味する。例えば、送受電とは、車両３０から電力網１０に向けた電力の放出が行われることを意味してよい。また、送受電とは、電力網１０から車両３０に向けた送電が行われることを意味してよい。なお、自宅等の電力需要家に設置した充放電器を通じて車両３０が電力を放出する場合において、電力需要家側の消費電力が車両３０から放出される電力より大きいときには、電力需要家側と電力網１０との接続点において電力網１０への正味の電力供給は生じず、接続点から電力需要家への電力供給量が単に減少するだけの場合がある。この場合でも、電力網１０から見ると、電力網１０外との間で電力の受け渡しが生じたとみなすことができる。したがって、本実施形態において、車両３０が電力を放出する場合における電力網１０との送受電において、電力網１０が車両３０との間の特定の接続点から正味の電力を受け取るか否かは問わない。
【００３８】
図２は、管理サーバ４０の機能構成を概略的に示す。管理サーバ４０は、処理部４２と、格納部４８と、通信部４６とを備える。
【００３９】
処理部４２は、プロセッサを含む処理装置により実現される。格納部４８は、不揮発性の記憶装置により実現される。処理部４２は、格納部４８に格納された情報を用いて処理を行う。通信部４６は、車両３０、定置バッテリ１４、ユーザ端末８２、及び電力取引サーバ５０との間の通信を担う。通信部４６が車両３０、定置バッテリ１４、ユーザ端末８２及び電力取引サーバ５０から受信した情報は、処理部４２に供給される。また、車両３０、定置バッテリ１４、ユーザ端末８２及び電力取引サーバ５０へ送信される情報は、処理部４２により生成され、通信部４６を介して送信される。
【００４０】
管理サーバ４０は、容量制御装置として機能する。管理サーバ４０は、１つの情報処理装置で実現されるシステムであってよいし、複数の情報処理装置で実現されるシステムであってもよい。
【００４１】
処理部４２は、送受電制御部２２０と、更新部２００と、制御部２１０と、容量変更取得部２３０と、移行指示取得部２４０と、対価制御部２９０とを備える。
【００４２】
格納部４８は、車両３０が備えるバッテリ３２の残容量のうち、車両３０のユーザ８０の指示によらずにバッテリ３２と電力網１０との間の送受電に利用可能な第１の残容量と、ユーザ８０の指示によりユーザ８０が利用可能な第２の残容量とを示す情報を格納する。更新部２００は、ユーザ８０の指示によって行われたバッテリ３２の充放電におけるバッテリ３２の充電量又は放電量に基づいて、第１の残容量を更新することなく第２の残容量を更新し、ユーザ８０の指示によらずに車両３０外の管理サーバ４０の指示によって行われた送受電によるバッテリ３２の充電量又は放電量に基づいて、第２の残容量を更新することなく第１の残容量を更新する。
【００４３】
なお、Ｖ２Ｇ用残容量は、第１の残容量の一例であり、ユーザ用残容量は第２の残容量の一例である。制御部２１０は、更新部２００により更新された第２の残容量を示す情報をユーザ８０へ提示させる。例えば、制御部２１０は、第２の残容量を示す情報を車両３０のＥＣＵに送信して、第２の残容量を示す情報を車両３０に表示させてよい。制御部２１０は、第２の残容量を示す情報をユーザ端末８２に送信して、第２の残容量を示す情報をユーザ端末８２に表示させてよい。制御部２１０は、バッテリ３２の容量のうち車両３０のユーザ８０が利用可能な最大容量と第２の残容量とに基づく充電率を示す情報を、ユーザ８０へ提示させてよい。
【００４４】
なお、「第１の残容量」は、「車両３０が備える駆動用電源に蓄積されているエネルギー量のうち、ユーザ８０の指示によらずに駆動用電源と電力網１０との間の送受電に利用可能な第１のエネルギー量」の一例である。また、「第２の残容量」は、「ユーザ８０の指示によりユーザ８０が利用可能な第２のエネルギー量」の一例である。また、「ユーザ８０の指示によって行われたバッテリ３２の充放電におけるバッテリ３２の充電量又は放電量」は、「ユーザ８０の指示によって行われた駆動用電源へのエネルギー蓄積量又は駆動用電源からのエネルギー放出量」の一例である。
【００４５】
なお、車両３０のＥＣＵは、更新部２００及び制御部２１０機能を実行し得る。例えば、車両３０のＥＣＵは、送受電制御部２２０の指示によらずにバッテリ３２の充電又は放電が行われた場合に、充電量又は放電量に基づいて第２の残容量を更新し、更新した第２の残容量をユーザ８０に提示してよい。更新部２００及び制御部２１０の機能は、車両３０のＥＣＵ等の制御装置及び管理サーバ４０の少なくとも一方によって実現し得る。
【００４６】
容量変更取得部２３０は、ユーザ８０が利用可能な最大容量を変更する指示を取得する。例えば、容量変更取得部２３０は、ユーザ端末８２又は車両３０のＥＣＵから、ユーザ８０が利用可能な最大容量を変更する指示を取得してよい。制御部２１０は、変更された最大容量と第２の残容量とに基づく新たな充電率を示す情報を、ユーザ８０へ提示させる。
【００４７】
移行指示取得部２４０は、第１の残容量及び第２の残容量の一方から他方への移行指示を取得する。移行指示取得部２４０は、第１の残容量から第２の残容量への移行指示をユーザ８０から取得してよい。移行指示取得部２４０は、第１の残容量から第２の残容量への移行指示を、ユーザ端末８２又は車両３０のＥＣＵから取得してよい。更新部２００は、移行指示を取得した場合に、第１の残容量及び第２の残容量の一方から他方へ移行させる容量に基づいて、第１の残容量及び第２の残容量を更新する。移行指示取得部２４０は、電力網１０における電力需要が予め定められた値より小さい場合に、第１の残容量から第２の残容量への移行指示をユーザ８０から受け付けることを許容してよい。移行指示取得部２４０は、電力網１０における電力需要が予め定められた値より大きい場合に、第２の残容量から第１の残容量への移行指示をユーザ８０から受け付けることを許してよい。
【００４８】
対価制御部２９０は、電力網１０における電力需要に基づいて、第１の残容量及び第２の残容量の一方から他方への容量移行の対価を決定する。制御部２１０は、対価制御部２９０が決定した対価をユーザ８０へ提示させる。
【００４９】
送受電制御部２２０は、電力網１０の電力需要に応じて、車両３０に電力網１０との間で送受電を行わせる。例えば、送受電制御部２２０は、車両３０が備えるＥＣＵに対して、バッテリ３２の充放電を指示する。車両３０のＥＣＵは、送受電制御部２２０の指示に従って、充放電設備２０と通信し、車両３０の電力変換器を制御して、充放電設備２０を通じたバッテリ３２の充電や、バッテリ３２の放電により得られる電力の放出を行う。なお、送受電制御部２２０は、バッテリ３２の充電時における充放電設備２０から電力変換器への入力電力量、バッテリ３２の放電時における当該電力変換器から充放電設備２０への出力電力量、及びバッテリ３２のＳＯＣ（Ｓｔａｔｅ  ｏｆ  Ｃｈａｒｇｅ）を示す情報を、車両３０のＥＣＵから逐次取得してよい。送受電制御部２２０は、車両３０のＥＣＵから取得した情報に基づいて、車両３０と電力網１０との間の送受電を制御してよい。
【００５０】
なお、送受電制御部２２０は、バッテリ３２の充電中において、第２の残容量が予め定められた値より低い場合には、第１の残容量が予め定められた値より高い場合であっても、バッテリ３２から電力網１０への送受電を禁止してよい。
【００５１】
管理サーバ４０によれば、管理サーバ４０がＶ２Ｇ用残容量の枠内でバッテリ３２に自由に充放電を行っても、ユーザ８０に提示される残容量には反映されない。そのため、管理サーバ４０が勝手に充放電を行っていても、ユーザ８０は違和感を覚えることがない。また、管理サーバ４０は、ユーザ８０が行う充放電に実質的に影響を受けることなく、Ｖ２Ｇ用残容量の枠内で計画的にバッテリ３２を充放電することが可能になる。
【００５２】
なお、送受電管理装置の機能は、管理サーバ４０単独で実現されてよいし、管理サーバ４０と車両３０のＥＣＵとの組み合わせによって実現されてよい。例えば、管理サーバ４０が実行する処理の少なくとも一部を、車両３０のＥＣＵが実行してよい。例えば、送受電制御部２２０、更新部２００、制御部２１０、容量変更取得部２３０、移行指示取得部２４０、対価制御部２９０、格納部４８により実現される機能の少なくとも一部が、車両３０のＥＣＵにより実現されてよい。
【００５３】
図３は、ユーザ用設定容量及びＶ２Ｇ用設定容量を説明するための模式的な図である。図３において、Ｃはバッテリ３２の全体容量を示す。例えば、Ｃは、バッテリ３２の満充電容量であってよい。Ｃａは、ユーザ及び電力アグリゲータが使用可能な容量である使用可能容量を示す。ＣａはＣより小さい。
【００５４】
Ｃｂ１は、バッテリ３２における最小充電容量を示す。車両３０のＥＣＵは、バッテリ３２のＣｂ１に対応するＳＯＣ未満にならないように、バッテリ３２の放電を制御する。Ｃｂ２は、バッテリ３２において充電されることが禁止された容量を示す。車両３０のＥＣＵは、例えばバッテリ３２の過充電を防ぐために、Ｃｂ２に対応するＳＯＣを超えないように、バッテリ３２の充電を制御する。具体的には、Ｃｂ１及びＣｂ２はそれぞれＣの５％であるとする。この場合、車両３０のＥＣＵは、ＳＯＣが５％から９５％の範囲内に収まるように、バッテリ３２の充放電を制御する。
【００５５】
更新部２００は、使用可能容量Ｃａを、Ｖ２Ｇ用設定容量Ｃ１とユーザ用設定容量Ｃ２とに分けて管理する。Ｖ２Ｇ用設定容量Ｃ１及びユーザ用設定容量Ｃ２は、ユーザ８０が設定可能である。Ｖ２Ｇ用設定容量Ｃ１及びユーザ用設定容量Ｃ２は、ユーザ８０が車両３０を購入する際に予め設定されてよい。
【００５６】
Ｖ２Ｇ用設定容量Ｃ１は、電力アグリゲータの指示によってバッテリ３２を充放電することができる最大容量を示す。ユーザ用設定容量Ｃ２は、ユーザ８０の指示によってバッテリ３２を充放電することができる最大容量を示す。Ｖ２Ｇ用残容量Ｒ１は、電力アグリゲータの指示によって充放電可能な現在の容量を示す。ユーザ用残容量Ｒ２は、ユーザ８０の指示によって充放電可能な現在の容量を示す。Ｒａ＝Ｒ１＋Ｒ２である。
【００５７】
管理サーバ４０は、Ｖ２Ｇ用設定容量Ｃ１の範囲内で、車両３０と電力網１０との間でＶ２Ｇを行い、このＶ２Ｇによってバッテリ３２の放電が生じてもユーザ用残容量Ｒ２は変化しない。そのため、ユーザ８０は、管理サーバ４０により行われるＶ２Ｇを気にすることなく、車両３０を走行することができる。なお、通常時においては、ユーザ８０はユーザ用設定容量Ｃ２の範囲で車両３０を走行させることができるが、Ｖ２Ｇ用残容量Ｒ１が極端に減少した場合や非常時等には、Ｖ２Ｇ用残容量Ｒ１も利用して車両３０を走行させる等することも可能である。
【００５８】
図３において、バッテリ残量メータ３００は、車両３０に表示されるバッテリ残量メータの表示内容を模式的に示す。バッテリ残量メータ３００は、ユーザ用残容量Ｒ２を表示する。例えば、制御部２１０は、制御部２１０にユーザ用残容量Ｒ２を通知して、バッテリ残量メータ３００にユーザ用残容量Ｒ２を表示させてよい。
【００５９】
図４は、バッテリ３２の容量情報の一例をテーブル形式で示す。容量情報は、格納部４８に格納される。容量情報は、車両ＩＤと、ユーザＩＤと、全容量と、使用可能容量と、Ｖ２Ｇ用容量と、Ｖ２Ｇ用残容量と、ユーザ用残容量とを対応づける。
【００６０】
車両ＩＤには、車両３０の識別情報が格納される。ユーザＩＤには、ユーザ８０の識別情報が格納される。全容量には、バッテリ３２の全体容量Ｃを示す情報が格納される。使用可能容量には、Ｃａを示す情報が格納される。例えば、使用可能容量には、全体容量Ｃに対するＣａの比率を示す情報が格納される。
【００６１】
Ｖ２Ｇ用設定容量には、Ｖ２Ｇ用設定容量Ｃ１を示す情報が格納される。例えば、Ｖ２Ｇ用設定容量には、使用可能容量Ｃａに対するＶ２Ｇ用設定容量Ｃ１の比率を示す情報が格納される。
【００６２】
Ｖ２Ｇ用残容量には、Ｖ２Ｇ用残容量Ｒ１を示す情報が格納される。例えば、Ｖ２Ｇ用残容量には、Ｖ２Ｇ用設定容量Ｃ１に対するＶ２Ｇ用残容量Ｒ１の比率を示す情報が格納される。
【００６３】
ユーザ用残容量には、ユーザ用残容量Ｒ２を示す情報が格納される。例えば、ユーザ用残容量には、ユーザ用設定容量Ｃ２に対するユーザ用残容量Ｒ２の比率を示す情報が格納される。
【００６４】
管理サーバ４０は、車両３０のＥＣＵから、バッテリ３２の充電量及び放電量を示す情報を取得する。例えば、管理サーバ４０は、バッテリ３２の充電時にバッテリ３２に充電された電気量及びバッテリ３２の放電時にバッテリ３２から放電された電気量を示す情報を受信する。更新部２００は、取得した充電量及び放電量を示す情報に基づいて、Ｖ２Ｇ用残容量Ｒ１及びユーザ用残容量Ｒ２を更新する。
【００６５】
図５は、ユーザ８０の指示に基づく充電によってＶ２Ｇ用残容量Ｒ１が更新される様子を模式的に示す。図５においてＶ２Ｇ用設定容量Ｃ１及びユーザ用設定容量Ｃ２がそれぞれ１０ｋＷｈ及び４０ｋＷｈ相当であり、充電前にＶ２Ｇ用残容量Ｒ１及びユーザ用残容量Ｒ２がそれぞれ４０％及び５０％であったとする。
【００６６】
ユーザ８０が車両３０を充電モードに設定して、自宅等の充放電設備２０に車両３０を接続すると、車両３０のＥＣＵは、ユーザ８０の指示に基づくバッテリ３２の充電を開始する。この状態で車両３０の６ｋＷｈ相当の充電を行った場合、更新部２００は、ユーザ用残容量Ｒ２を５０％から６５％に更新する。また、制御部２１０は、車両３０のバッテリ残量メータ３００の残量表示を６５％に更新させる。一方、更新部２００は、Ｖ２Ｇ用残容量Ｒ１を更新しない。
【００６７】
また、ユーザ８０がバッテリ３２の電力で車両３０を走行させた場合、更新部２００はユーザ用残容量Ｒ２を更新する。例えば、車両３０を走行させるためにバッテリ３２から６ｋＷｈ相当の放電が行われた場合、更新部２００は、ユーザ用残容量Ｒ２を５０％から３５％に更新する。また、制御部２１０は、車両３０のＥＣＵに、車両３０のバッテリ残量メータ３００の残量表示を３５％に更新させる。一方、更新部２００は、Ｖ２Ｇ用残容量Ｒ１を更新しない。
【００６８】
ユーザ８０の指示に基づいてＶ２Ｇを行った場合、更新部２００はユーザ用残容量Ｒ２を更新する。例えば、ユーザ８０が車両３０を自宅の充放電設備２０に接続して、例えば自宅のＨＥＭＳを通じてバッテリ３２を放電させて電力網１０に送電した場合において、バッテリ３２から６ｋＷｈ相当の放電が行われた場合、更新部２００は、ユーザ用残容量Ｒ２を５０％から３５％に更新する。また、制御部２１０は、車両３０のＥＣＵに、車両３０のバッテリ残量メータ３００の残量表示を３５％に更新させる。一方、更新部２００は、Ｖ２Ｇ用残容量Ｒ１を更新しない。
【００６９】
同様に、ユーザ８０が自宅のＨＥＭＳを通じて、電力網１０の余剰電力でバッテリ３２を充電した場合には、更新部２００はユーザ用残容量Ｒ２を更新し、Ｖ２Ｇ用残容量Ｒ１を更新しない。また、ユーザ８０が自宅のＨＥＭＳを通じてバッテリ３２を放電させて自宅の電気機器に電力供給した場合も同様に、更新部２００はユーザ用残容量Ｒ２を更新し、Ｖ２Ｇ用残容量Ｒ１を更新しない。また、ユーザ８０が自宅のＨＥＭＳを通じて、ユーザ８０の自宅の太陽電池で得られた電力でバッテリ３２を充電した場合も、更新部２００は、ユーザ用残容量Ｒ２を更新し、Ｖ２Ｇ用残容量Ｒ１を更新しない。
【００７０】
これにより、ユーザ８０の指示によるバッテリ３２の利用量に応じてユーザ用残容量Ｒ２が更新される。そのため、ユーザ８０の使用感に即した残容量情報をユーザ８０に提供することができる。
【００７１】
図６は、管理サーバ４０の指示に基づく充電によってＶ２Ｇ用残容量Ｒ１が更新される様子を模式的に示す。図６においてＶ２Ｇ用設定容量Ｃ１及びユーザ用設定容量Ｃ２がそれぞれ１０ｋＷｈ及び４０ｋＷｈ相当であり、充電前にＶ２Ｇ用残容量Ｒ１及びユーザ用残容量Ｒ２がそれぞれ４０％及び５０％であったとする。
【００７２】
ユーザ８０が車両３０を充電モードに設定して、自宅等の充放電設備２０に車両３０を接続すると、車両３０のＥＣＵは、ユーザ８０の指示に基づくバッテリ３２の充電を開始する。この充電によって、ユーザ用残容量Ｒ２が予め定められた基準値になった場合に、車両３０のＥＣＵは、送受電制御部２２０によるバッテリ３２の充放電の制御を許容する。
【００７３】
送受電制御部２２０によるバッテリ３２の充放電の制御が許容された状態で送受電制御部２２０が電力網１０からの電力でバッテリ３２に６ｋＷｈ相当の充電を行わせた場合、更新部２００は、Ｖ２Ｇ用残容量Ｒ１を４０％から１００％に更新する。一方、更新部２００はユーザ用残容量Ｒ２を更新しない。車両３０のＥＣＵは、車両３０のバッテリ残量メータ３００の残量表示を５０％に維持する。
【００７４】
なお、送受電制御部２２０によるバッテリ３２の充放電の制御が許容された状態で送受電制御部２２０がバッテリ３２から電力網１０への送電によってバッテリ３２から４ｋＷｈ相当の放電が行われた場合、更新部２００は、Ｖ２Ｇ用残容量Ｒ１を４０％から０％に更新する。一方、更新部２００はユーザ用残容量Ｒ２を更新しない。また、車両３０のＥＣＵは、車両３０のバッテリ残量メータ３００の残量表示を５０％に維持する。
【００７５】
これにより、送受電制御部２２０の制御によりバッテリ３２の充放電をした場合、Ｖ２Ｇ用残容量Ｒ１を更新し、ユーザ用残容量Ｒ２を更新しない。したがって、Ｖ２Ｇ用残容量Ｒ１はユーザ８０によるバッテリ３２の充放電に依存せず、ユーザ用残容量Ｒ２は管理サーバ４０によるバッテリ３２の充放電に依存しない。そのため、管理サーバ４０は、ユーザ８０が必要とするバッテリ残容量を考慮することなく、バッテリ３２を計画的に充放電させることができる。
【００７６】
図７は、車両３０のＶ２Ｇ用設定容量Ｃ１及びユーザ用設定容量Ｃ２を設定するための画面７００の一例を模式的に示す。画面７００は、ユーザ８０がＶ２Ｇ用設定容量Ｃ１を変更する場合に、管理サーバ４０の制御によって、ユーザ端末８２に表示される。画面７００は、プラン選択ボタン７１０及びプラン選択ボタン７２０と、残量表示選択ボタン７６０とを含む。
【００７７】
電力アグリゲータは、バッテリ３２に割り当てるＶ２Ｇ用設定容量Ｃ１が異なるプランをユーザ８０に提供する。例えば、電力アグリゲータは、Ｖ２Ｇ用設定容量Ｃ１に小容量の枠を割り当てるライトＶ２Ｇプランと、Ｖ２Ｇ用設定容量Ｃ１に大容量の枠を割り当てるプロフェッショナルＶ２Ｇプランとをユーザ８０に提供する。例えば、ライトＶ２Ｇプランは使用可能容量Ｃａの２０％をＶ２Ｇ用設定容量Ｃ１に割り当てるプランであり、プロフェッショナルＶ２Ｇプランは使用可能容量Ｃａの５０％をＶ２Ｇ用設定容量Ｃ１に割り当てるプランであってよい。プラン選択ボタン７１０は、ライトＶ２Ｇプラン小容量のプランを選択するためのボタンである。プラン選択ボタン７２０は、プロフェッショナルＶ２Ｇプランを選択するためのボタンである。
【００７８】
ユーザ８０がプラン選択ボタン７１０又はプラン選択ボタン７２０を押すと、ユーザ端末８２は、押されたボタンに対応するプラン識別情報と、ユーザ８０の識別情報とを管理サーバ４０に送信する。容量変更取得部２３０は、ユーザ端末８２から受信したプラン識別情報及びユーザ８０の識別情報に基づいて、図３の容量情報におけるＶ２Ｇ用設定容量を変更する。なお、全体容量と変更後のＶ２Ｇ用設定容量とから、変更後のユーザ用設定容量Ｃ２が定まる。また、更新部２００は、変更されたＶ２Ｇ用設定容量と、変更前におけるＶ２Ｇ用設定容量、Ｖ２Ｇ用残容量及びユーザ用残容量とに基づいて、Ｖ２Ｇ用残容量及びユーザ用残容量を更新する。
【００７９】
なお、それぞれのプランには、ユーザ８０に付与される対価が設定されている。対価は、例えば、ユーザ８０が自宅以外の充放電設備２０を使用するためにユーザ８０に課される月額使用料からの割引額であってよい。プロフェッショナルＶ２Ｇプランには、ライトＶ２Ｇプランより高い割引額が設定されてよい。画面７００において、割引額は、プラン選択ボタン７１０及びプラン選択ボタン７２０のそれぞれに対応づけて表示される。管理サーバ４０において、対価制御部２９０は、ユーザ８０が選択したプランに設定づけられた割引額を月額使用料から割り引く。
【００８０】
画面７００において、残量表示選択ボタン７６０は、車両３０におけるバッテリ残量メータ３００の残量表示方法を選択するためのボタンである。バッテリ残量メータ３００の残量表示方法には、ユーザ用設定容量Ｃ２に対するユーザ用残容量Ｒ２を表示する第１の残量表示方法と、使用可能容量Ｃａに対するユーザ用残容量Ｒ２を表示する方法とがある。第１の残量表示方法が選択された場合、例えばユーザ用設定容量Ｃ２に対するユーザ用残容量Ｒ２の比率が表示される。第２の残量表示方法が選択された場合、例えば使用可能容量Ｃａに対するユーザ用残容量Ｒ２の比率が車両３０に表示される。画面７００において残量表示選択ボタン７６０が選択状態にある場合、第１の残量表示方法が適用されていることを示す。一方、残量表示選択ボタン７６０が選択状態にない場合、第２の残量表示方法が適用されていることを示す。
【００８１】
ユーザ８０が残量表示選択ボタン７６０を押すと、ユーザ端末８２は、残量表示方法の識別情報とユーザ８０の識別情報とを、管理サーバ４０に送信する。制御部２１０は、受信した識別情報で識別される残量表示方法でユーザ用残容量Ｒ２を表示するよう、ユーザ８０の車両３０のＥＣＵに指示する。なお、第２の残量表示方法でユーザ用残容量Ｒ２を表示する場合、車両のＥＣＵは、Ｖ２Ｇ用設定容量Ｃ１とユーザ用最大量Ｃ２とを区別して表示してよい。例えば、ユーザ８０がＶ２Ｇ用設定容量Ｃ１を使用できないことが分かるように、ユーザ用設定容量Ｃ２をＶ２Ｇ用設定容量Ｃ１より強調して表示してよい。
【００８２】
図８は、Ｖ２Ｇ用残容量Ｒ１とユーザ用残容量Ｒ２との間で容量を移行させるための画面８００の一例を模式的に示す。画面８００は、ユーザ８０からの移行指示を受け付けるために、管理サーバ４０の制御によって、ユーザ端末８２に表示される。画面８００は、スピード充電ボタン８１０及びスピード放電ボタン８２０を含む。
【００８３】
スピード充電は、図３に示す容量情報において、Ｖ２Ｇ用残容量Ｒ１の少なくとも一部をユーザ用残容量Ｒ２に移行することによって実現される。スピード放電は、図３に示す容量情報において、ユーザ用残容量Ｒ２の少なくとも一部をＶ２Ｇ用残容量Ｒ１に移行することによって実現される。つまり、スピード充電及びスピード放電は、実質的なバッテリ３２の充電及び放電を行う必要なく、容量情報の変更によって仮想的に行われる。
【００８４】
ユーザ８０がスピード充電ボタン８１０を押すと、ユーザ端末８２は、スピード充電を示す情報と、スピード充電で移行する移行容量を示す情報と、ユーザ８０の識別情報とを、管理サーバ４０に送信する。ユーザ８０がスピード放電ボタン８２０を押すと、ユーザ端末８２は、スピード放電を示す情報と、スピード放電で移行する移行容量を示す情報と、ユーザ８０の識別情報とを、管理サーバ４０に送信する。
【００８５】
更新部２００は、ユーザ端末８２から受信した情報に基づいて、図３の容量情報におけるＶ２Ｇ用残容量及びユーザ用残容量を更新する。例えば、更新部２００は、スピード充電が行われる場合、Ｖ２Ｇ用残容量から移行容量を減じて、ユーザ用残容量に移行容量を加算する。更新部２００は、スピード放電が行われる場合、ユーザ用残容量から移行容量を減じて、Ｖ２Ｇ用残容量に移行容量を加算する。また、制御部２１０は、車両３０のＥＣＵに、更新されたユーザ用残容量に基づいて、車両３０におけるバッテリ残量メータ３００の残量表示を更新させる。
【００８６】
スピード充電及びスピード放電は、電力網１０のおける電力需要を考慮して許容される。例えば、移行指示取得部２４０は、電力網１０における電力需要が予め定められた値より小さい場合に、スピード充電の受け付けを許容する。例えば、卸電力市場において電力アグリゲータの買い約定が成立しており、かつ、Ｖ２Ｇ用残容量Ｒ１が予め定められた値より大きい場合に、スピード充電の受け付けを許容する。
【００８７】
また、移行指示取得部２４０は、電力網１０における電力需要が予め定められた値より大きい場合に、スピード放電の受け付けを許容する。例えば、卸電力市場において電力アグリゲータの売り約定が成立しており、かつ、Ｖ２Ｇ用残容量Ｒ１が予め定められた値より小さい場合に、スピード放電の受け付けを許容する。
【００８８】
なお、移行指示取得部２４０は、電力網１０における電力需要が予め定められた値より小さく、Ｖ２Ｇ用残容量Ｒ１が予め定められた値より大きい場合に、ユーザ端末８２に表示されるスピード充電ボタン８１０を選択可能としてよい。移行指示取得部２４０は、電力網１０における電力需要が予め定められた値より大きく、Ｖ２Ｇ用残容量Ｒ１が予め定められた値より小さい場合に、ユーザ端末８２に表示されるスピード放電ボタン８２０を選択可能としてよい。
【００８９】
なお、スピード充電の移行容量及びスピード放電の移行容量は、それぞれ予め定められた容量であってよい。スピード充電の移行容量及びスピード放電の移行容量は、ユーザ用設定容量Ｃ２に対する比率で示されてよい。また、スピード充電及びスピード放電には、それぞれユーザ８０に課される対価及びユーザ８０に付与される対価が設定されている。画面８００において、対価を示す情報は、スピード充電ボタン８１０及びスピード放電ボタン８２０のそれぞれに対応づけて表示される。なお、対価は、電力網１０における電力需要に基づいて決定されてよい。電力網１０における電力需要が大きいほど、スピード充電の単位容量当たりの単価を高くし、スピード放電の単位容量当たりの単価を低くしてよい。電力網１０における電力需要が小さいほど、スピード充電の単位容量当たりの単価を低くし、スピード放電の単位容量当たりの単価を高くしてよい。
【００９０】
送受電システム１００によれば、スピード充電及びスピード放電機能を提供することができる。そのため、例えばユーザ用残容量Ｒ２が小さい状態で緊急に長距離走行が必要になった場合において、即座にユーザ用残容量Ｒ２を増やすことが可能になる。
【００９１】
図９は、車両３０に充放電ケーブル２２が接続された場合の処理を示すフローチャートである。図９のフローチャートは、主として管理サーバ４０の処理部４２において実行される。
【００９２】
Ｓ９０２において、送受電制御部２２０は、車両３０に充放電ケーブル２２が接続された旨の通知を車両３０のＥＣＵから受信すると、ユーザ用残容量Ｒ２が予め定められた値以上であるか否かを判断する。ユーザ用残容量Ｒ２が予め定められた値以上である場合、Ｓ９０４において、送受電制御部２２０は、車両３０をＶ２Ｇの選択対象に追加する。後述するように、送受電制御部２２０は、Ｖ２Ｇの選択対象となった車両３０の中から、電力網１０との間で送受電させる車両３０を選択する。なお、ユーザ８０によってバッテリ３２をタイマー充電するよう指定されている場合、送受電制御部２２０は、タイマー充電が行われる期間を除いて、Ｖ２Ｇの選択対象に車両３０を追加する。
【００９３】
Ｓ９０２の判断において、ユーザ用残容量Ｒ２が予め定められた値未満である場合、Ｓ９０６において、送受電制御部２２０は、車両３０のＥＣＵに、ユーザ８０の指示に基づく充電を許可する。ユーザ８０の指示に基づく充電が行われている場合、送受電制御部２２０は車両３０と電力網１０との間の送受電を行わせない。これにより、ユーザ用残容量Ｒ２が小さい場合には、ユーザ用残容量Ｒ２を優先的に増加させることができる。
【００９４】
図１０は、車両３０と電力網１０との間で送受電を行う処理を示すフローチャートである。図１０のフローチャートは、主として管理サーバ４０の処理部４２において実行される。
【００９５】
Ｓ１００２において、送受電制御部２２０は、格納部４８から電力取引の約定情報を取得する。約定情報には、コマ情報、約定価格情報、約定量情報、及び約定種別情報が含まれる。Ｓ１００４において、送受電制御部２２０は、取引情報及び車両３０のＶ２Ｇ用残容量Ｒ１に基づいて、電力網１０との間で送受電を行わせる車両３０と、送受電を行う期間を決定する。
【００９６】
Ｓ１００６において、送受電制御部２２０は、Ｓ１００４で選択した車両３０のＥＣＵに、充電又は放電を指示する。Ｓ１００８において、更新部２００は、車両３０のＥＣＵから取得した充電量又は放電量に基づいて、Ｖ２Ｇ用残容量Ｒ１を更新する。
【００９７】
以上に説明した送受電システム１００によれば、管理サーバ４０は、ユーザ８０による充放電の影響を受けることなく、管理サーバ４０に割り当てられたＶ２Ｇ用残容量Ｒ１の枠内でバッテリ３２を自由に充放電することができる。この場合、管理サーバ４０の指示で充放電をしても、ユーザ８０に提示される残容量は変化しない。ユーザ８０に提示される残容量は、ユーザ８０の指示で行ったバッテリ３２の充放電量に応じて更新される。そのため、ユーザ８０の使用感に即した残容量情報をユーザ８０に提供することができる。
【００９８】
なお、上述した電力取引における約定情報は、電力需要を示す情報の一例である。電力需要を示す情報とは、電力取引における約定価格等であってよい。また、電力需要を示す情報とは、電力網１０におけるリアルタイムの需給アンバランス量を示す情報であってもよいし、将来における需給アンバランス量の予測値を示す情報であってもよい。電力需要を示す情報とは、電力網１０の電力需要家のリアルタイムの消費電力量又は当該消費電力の予測値を示す情報であってもよい。電力需要を示す情報として、電力量そのものに限らず、気温情報、湿度情報、気象情報、催事情報等、電力需要に直接的又は間接的に影響を与える様々な情報を適用できる。
【００９９】
なお、電力取引市場としては、一日前市場、当日市場、需給調整力市場等の取引市場を例示できる。電力取引の取引形態としては、これらの電力取引市場における取引形態以外の様々な取引形態を適用できる。
【０１００】
図１１は、本発明の複数の実施形態が全体的又は部分的に具現化され得るコンピュータ２０００の例を示す。コンピュータ２０００にインストールされたプログラムは、コンピュータ２０００に、実施形態に係る管理サーバ４０等の装置又は当該装置の各部として機能させる、当該装置又は当該装置の各部に関連付けられるオペレーションを実行させる、及び／又は、実施形態に係るプロセス又は当該プロセスの段階を実行させることができる。そのようなプログラムは、コンピュータ２０００に、本明細書に記載の処理手順及びブロック図のブロックのうちのいくつか又はすべてに関連付けられた特定のオペレーションを実行させるべく、ＣＰＵ２０１２によって実行されてよい。
【０１０１】
本実施形態によるコンピュータ２０００は、ＣＰＵ２０１２、及びＲＡＭ２０１４を含み、それらはホストコントローラ２０１０によって相互に接続されている。コンピュータ２０００はまた、ＲＯＭ２０２６、フラッシュメモリ２０２４、通信インタフェース２０２２、及び入力／出力チップ２０４０を含む。ＲＯＭ２０２６、フラッシュメモリ２０２４、通信インタフェース２０２２、及び入力／出力チップ２０４０は、入力／出力コントローラ２０２０を介してホストコントローラ２０１０に接続されている。
【０１０２】
ＣＰＵ２０１２は、ＲＯＭ２０２６及びＲＡＭ２０１４内に格納されたプログラムに従い動作し、それにより各ユニットを制御する。
【０１０３】
通信インタフェース２０２２は、ネットワークを介して他の電子デバイスと通信する。フラッシュメモリ２０２４は、コンピュータ２０００内のＣＰＵ２０１２によって使用されるプログラム及びデータを格納する。ＲＯＭ２０２６は、アクティブ化時にコンピュータ２０００によって実行されるブートプログラム等、及び／又はコンピュータ２０００のハードウエアに依存するプログラムを格納する。入力／出力チップ２０４０はまた、キーボード、マウス及びモニタ等の様々な入力／出力ユニットをシリアルポート、パラレルポート、キーボードポート、マウスポート、モニタポート、ＵＳＢポート、ＨＤＭＩ（登録商標）ポート等の入力／出力ポートを介して、入力／出力コントローラ２０２０に接続してよい。
【０１０４】
プログラムは、ＣＤ−ＲＯＭ、ＤＶＤ−ＲＯＭ、又はメモリカードのようなコンピュータ可読媒体又はネットワークを介して提供される。ＲＡＭ２０１４、ＲＯＭ２０２６、又はフラッシュメモリ２０２４は、コンピュータ可読媒体の例である。プログラムは、フラッシュメモリ２０２４、ＲＡＭ２０１４、又はＲＯＭ２０２６にインストールされ、ＣＰＵ２０１２によって実行される。これらのプログラム内に記述される情報処理は、コンピュータ２０００に読み取られ、プログラムと上記様々なタイプのハードウエアリソースとの間の連携をもたらす。装置又は方法が、コンピュータ２０００の使用に従い情報のオペレーション又は処理を実現することによって構成されてよい。
【０１０５】
例えば、コンピュータ２０００及び外部デバイス間で通信が実行される場合、ＣＰＵ２０１２は、ＲＡＭ２０１４にロードされた通信プログラムを実行し、通信プログラムに記述された処理に基づいて、通信インタフェース２０２２に対し、通信処理を命令してよい。通信インタフェース２０２２は、ＣＰＵ２０１２の制御下、ＲＡＭ２０１４及びフラッシュメモリ２０２４のような記録媒体内に提供される送信バッファ処理領域に格納された送信データを読み取り、読み取った送信データをネットワークに送信し、ネットワークから受信された受信データを、記録媒体上に提供される受信バッファ処理領域等に書き込む。
【０１０６】
また、ＣＰＵ２０１２は、フラッシュメモリ２０２４等のような記録媒体に格納されたファイル又はデータベースの全部又は必要な部分がＲＡＭ２０１４に読み取られるようにし、ＲＡＭ２０１４上のデータに対し様々な種類の処理を実行してよい。ＣＰＵ２０１２は次に、処理されたデータを記録媒体にライトバックする。
【０１０７】
様々なタイプのプログラム、データ、テーブル、及びデータベースのような様々なタイプの情報が記録媒体に格納され、情報処理にかけられてよい。ＣＰＵ２０１２は、ＲＡＭ２０１４から読み取られたデータに対し、本明細書に記載され、プログラムの命令シーケンスによって指定される様々な種類のオペレーション、情報処理、条件判断、条件分岐、無条件分岐、情報の検索／置換等を含む、様々な種類の処理を実行してよく、結果をＲＡＭ２０１４にライトバックする。また、ＣＰＵ２０１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２０１２は、第１の属性の属性値が指定されている、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【０１０８】
上で説明したプログラム又はソフトウェアモジュールは、コンピュータ２０００上又はコンピュータ２０００近傍のコンピュータ可読媒体に格納されてよい。専用通信ネットワーク又はインターネットに接続されたサーバーシステム内に提供されるハードディスク又はＲＡＭのような記録媒体が、コンピュータ可読媒体として使用可能である。コンピュータ可読媒体に格納されたプログラムを、ネットワークを介してコンピュータ２０００に提供してよい。
【０１０９】
コンピュータ２０００にインストールされ、コンピュータ２０００を管理サーバ４０として機能させるプログラムは、ＣＰＵ２０１２等に働きかけて、コンピュータ２０００を、管理サーバ４０の各部としてそれぞれ機能させてよい。これらのプログラムに記述された情報処理は、コンピュータ２０００に読込まれることにより、ソフトウエアと上述した各種のハードウエア資源とが協働した具体的手段である更新部２００、制御部２１０、送受電制御部２２０、容量変更取得部２３０、移行指示取得部２４０、対価制御部２９０として機能する。そして、これらの具体的手段によって、本実施形態におけるコンピュータ２０００の使用目的に応じた情報の演算又は加工を実現することにより、使用目的に応じた特有の管理サーバ４０が構築される。
【０１１０】
様々な実施形態が、ブロック図等を参照して説明された。ブロック図において各ブロックは、（１）オペレーションが実行されるプロセスの段階又は（２）オペレーションを実行する役割を持つ装置の各部を表わしてよい。特定の段階及び各部が、専用回路、コンピュータ可読媒体上に格納されるコンピュータ可読命令と共に供給されるプログラマブル回路、及び／又はコンピュータ可読媒体上に格納されるコンピュータ可読命令と共に供給されるプロセッサによって実装されてよい。専用回路は、デジタル及び／又はアナログハードウエア回路を含んでよく、集積回路（ＩＣ）及び／又はディスクリート回路を含んでよい。プログラマブル回路は、論理ＡＮＤ、論理ＯＲ、論理ＸＯＲ、論理ＮＡＮＤ、論理ＮＯＲ、及び他の論理オペレーション、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウエア回路を含んでよい。
【０１１１】
コンピュータ可読媒体は、適切なデバイスによって実行される命令を格納可能な任意の有形なデバイスを含んでよく、その結果、そこに格納される命令を有するコンピュータ可読媒体は、処理手順又はブロック図で指定されたオペレーションを実行するための手段をもたらすべく実行され得る命令を含む製品の少なくとも一部を構成する。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【０１１２】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【０１１３】
コンピュータ可読命令は、汎用コンピュータ、特殊目的のコンピュータ、若しくは他のプログラム可能なデータ処理装置のプロセッサ又はプログラマブル回路に対し、ローカルに又はローカルエリアネットワーク（ＬＡＮ）、インターネット等のようなワイドエリアネットワーク（ＷＡＮ）を介して提供され、説明された処理手順又はブロック図で指定されたオペレーションを実行するための手段をもたらすべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【０１１４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、請求の範囲の記載から明らかである。
【０１１５】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０１１６】
１０  電力網
１２  発電設備
１４  定置バッテリ
２０  充放電設備
２２  充放電ケーブル
３０  車両
３２  バッテリ
４０  管理サーバ
４２  処理部
４６  通信部
４８  格納部
５０  電力取引サーバ
８０  ユーザ
８２  ユーザ端末
１００  送受電システム
２００  更新部
２１０  制御部
２２０  送受電制御部
２３０  容量変更取得部
２４０  移行指示取得部
２９０  対価制御部
３００  バッテリ残量メータ
７００  画面
７１０  プラン選択ボタン
７２０  プラン選択ボタン
７６０  残量表示選択ボタン
８００  画面
８１０  スピード充電ボタン
８２０  スピード放電ボタン
２０００  コンピュータ
２０１０  ホストコントローラ
２０１２  ＣＰＵ
２０１４  ＲＡＭ
２０２０  入力／出力コントローラ
２０２２  通信インタフェース
２０２４  フラッシュメモリ
２０２６  ＲＯＭ
２０４０  入力／出力チップ
【図１】
2020148850.tif 000003
【図２】
2020148850.tif 000004
【図３】
2020148850.tif 000005
【図４】
2020148850.tif 000006
【図５】
2020148850.tif 000007
【図６】
2020148850.tif 000008
【図７】
2020148850.tif 000009
【図８】
2020148850.tif 000010
【図９】
2020148850.tif 000011
【図１０】
2020148850.tif 000012
【図１１】
2020148850.tif 000013
【国際調査報告】
2020148850.tif 000014
2020148850.tif 000015